(57)【要約】【課題】検査しないページを予めユーザーが選別する手間を省くことができる基準画像生成装置、画像形成システム、基準画像生成方法、および基準画像生成プログラムを提供することを目的とする。【解決手段】基準画像生成装置４５０は、読取部６３０、基準画像生成部６４０、および制御部６６１を備える。読取部６３０は、画像形成装置３００から搬送された印刷物を読み取る。基準画像生成部６４０は、印刷物が読み取られて生成された読み取り画像に基づいて、印刷物を自動検品するための基準画像を生成する。制御部６６１は、検査における基準画像の有効／無効に応じて、基準画像を保存するか否かを制御する。【選択図】図７
2020116746.tif 000002
【特許請求の範囲】
【請求項１】
画像形成装置から搬送された印刷物を読み取る読取部と、
前記印刷物が読み取られて生成された読み取り画像に基づいて、前記印刷物を自動検品するための基準画像を生成する基準画像生成部と、
制御部と、を備え、
前記制御部は、
前記読取部に搬送される前記印刷物の各用紙について、自動検品の対象か否かに関する情報を前記画像形成装置から取得し、
前記用紙が自動検品の対象である場合、前記基準画像が自動検品の検査において有効である旨を保存する一方で、
前記用紙が自動検品の対象外である場合、前記基準画像が自動検品の検査において無効である旨を保存し、
前記基準画像が自動検品の検査において有効である場合、前記基準画像を保存する一方で、
前記基準画像が自動検品の検査において無効である場合、前記基準画像を保存しない、基準画像生成装置。
【請求項２】
画像形成装置から搬送された印刷物の画像を読み取る読取部と、
前記読取部によって前記画像が読み取られて生成された読み取り画像に基づいて、前記印刷物を自動検品するための基準画像を生成する基準画像生成部と、
制御部と、を備え、
前記制御部は、
前記読取部に搬送される前記印刷物の各用紙について、自動検品の対象か否かに関する情報を前記画像形成装置から取得し、
前記用紙が自動検品の対象である場合、前記基準画像が自動検品の検査において有効である旨を保存する一方で、
前記用紙が自動検品の対象外である場合、前記基準画像が自動検品の検査において無効である旨を保存し、
前記基準画像が自動検品の検査において有効か無効かにかかわらず、前記基準画像を保存する、基準画像生成装置。
【請求項３】
画像形成装置から搬送された印刷物の画像を読み取る読取部と、
前記読取部によって前記画像が読み取られて生成された読み取り画像に基づいて、前記印刷物を自動検品するための基準画像を生成する基準画像生成部と、
制御部と、を備え、
前記読取部は、
前記読取部に搬送される前記印刷物の各用紙について、自動検品の対象か否かに関する情報を前記画像形成装置から取得し、
前記用紙が自動検品の対象である場合、前記用紙の画像を読み取る一方で、前記用紙が自動検品の対象外である場合、前記用紙の画像を読み取らず、
前記制御部は、
生成された前記基準画像を保存する、基準画像生成装置。
【請求項４】
前記制御部は、
生成された前記基準画像の保存順にページ番号を割り振り、前記基準画像を保存する、請求項１〜３のいずれか１項に記載の基準画像生成装置。
【請求項５】
前記制御部は、
前記基準画像を、前記基準画像が自動検品の検査において有効、あるいは無効である旨と関連付けて保存するための管理用ジョブを生成する、請求項１〜４のいずれか１項に記載の基準画像生成装置。
【請求項６】
前記制御部は、
前記印刷物の全用紙が自動検品の対象外である場合、前記管理用ジョブを削除する、請求項５に記載の基準画像生成装置。
【請求項７】
印刷ジョブに基づいて、用紙に画像を形成し、当該画像が形成された印刷物を出力する画像形成装置と、
請求項１〜６のいずれか１項に記載の基準画像生成装置と、
前記画像形成装置から前記基準画像生成装置へ前記印刷物を搬送する用紙搬送装置と、
前記印刷物の全用紙が自動検品の対象外である場合、ユーザーに前記印刷物の全用紙が基準画像を作成できない用紙である旨を通知するとともに、基準画像を作成する処理の中止をユーザーに確認するポップアップ画面を表示する通知部と、を有する画像形成システム。
【請求項８】
画像形成装置で印刷された印刷物の各用紙について、自動検品の対象か否かに関する情報を前記画像形成装置から取得するステップ（ａ）と、
前記画像形成装置から搬送された印刷物を読取部で読み取るステップ（ｂ）と、
前記ステップ（ｂ）において前記印刷物が読み取られて生成された読み取り画像に基づいて、前記印刷物を自動検品するための基準画像を生成するステップ（ｃ）と、
前記ステップ（ｃ）において生成された前記基準画像の保存を制御するステップ（ｄ）と、を含み、
前記ステップ（ｄ）では、
前記用紙が自動検品の対象である場合、前記基準画像が自動検品の検査において有効である旨を保存する一方で、
前記用紙が自動検品の対象外である場合、前記基準画像が自動検品の検査において無効である旨を保存し、
前記基準画像が自動検品の検査において有効である場合、前記基準画像を保存する一方で、
前記基準画像が自動検品の検査において無効である場合、前記基準画像を保存しない、基準画像生成方法。
【請求項９】
画像形成装置で印刷された印刷物の各用紙について、自動検品の対象か否かに関する情報を前記画像形成装置から取得するステップ（ａ）と、
前記画像形成装置から搬送された印刷物を読取部で読み取るステップ（ｂ）と、
前記ステップ（ｂ）において前記印刷物が読み取られて生成された読み取り画像に基づいて、前記印刷物を自動検品するための基準画像を生成するステップ（ｃ）と、
前記ステップ（ｃ）において生成された前記基準画像の保存するステップ（ｄ）と、を含み、
前記ステップ（ｄ）では、
前記用紙が自動検品の対象である場合、前記基準画像が自動検品の検査において有効である旨を保存する一方で、
前記用紙が自動検品の対象外である場合、前記基準画像が自動検品の検査において無効である旨を保存し、
前記基準画像が自動検品の検査において有効か無効かにかかわらず、前記基準画像を保存する、基準画像生成方法。
【請求項１０】
画像形成装置で印刷された印刷物の各用紙について、自動検品の対象か否かに関する情報を前記画像形成装置から取得するステップ（ａ）と、
前記画像形成装置から搬送された印刷物を読取部で読み取るステップ（ｂ）と、
前記印刷物が読み取られて生成された読み取り画像に基づいて、前記印刷物を自動検品するための基準画像を生成するステップ（ｃ）と、
生成された前記基準画像を保存するステップ（ｄ）と、を含み、
前記ステップ（ｂ）では、
前記用紙が自動検品の対象である場合、前記用紙の画像を読み取る一方で、前記用紙が自動検品の対象外である場合、前記用紙の画像を読み取らない、基準画像生成方法。
【請求項１１】
前記ステップ（ｄ）では、
生成された前記基準画像の保存順にページ番号を割り振り、前記基準画像を保存する、請求項８〜１０のいずれか１項に記載の基準画像生成方法。
【請求項１２】
前記ステップ（ｄ）では、
前記基準画像を、前記基準画像が検査において有効か、あるいは無効かを示す情報と関連付けて保存するための管理用ジョブを生成する、請求項８〜１１のいずれか１項に記載の基準画像生成方法。
【請求項１３】
前記ステップ（ｄ）では、
前記印刷物の全用紙が自動検品の対象外である場合、前記管理用ジョブを削除する、請求項１２に記載の基準画像生成方法。
【請求項１４】
前記印刷物の全用紙が自動検品の対象外である場合、ユーザーに前記印刷物の全用紙が基準画像を作成できない用紙である旨を通知するとともに、基準画像を作成する処理の中止をユーザーに確認するポップアップ画面を表示するステップ（ｅ）をさらに含む、請求項８〜１３のいずれか１項に記載の基準画像生成方法。
【請求項１５】
請求項８〜１４のいずれか１項に記載の基準画像生成方法をコンピューターに実行させるための基準画像生成プログラム。
【発明の詳細な説明】
【技術分野】
【０００１】
本発明は、基準画像生成装置、画像形成システム、基準画像生成方法、および基準画像生成プログラムに関する。
【背景技術】
【０００２】
近年、プロダクション・プリントの分野において、印刷の高画質化、画質の安定化をするための技術の開発が盛んである。このような技術の１つとして、印刷物の画像を自動的に検品する自動検品機能を備えた画像形成システムがある。
【０００３】
このような画像形成システムでは、ユーザーによって予め画質が良好であること（以下、「品質」という）が確認されている印刷物の画像と、本印刷の印刷物を読み取った画像とを比較をすることにより、本印刷の印刷物が十分な品質を備えているかを判定する。
【０００４】
また、品質が確認されている印刷物の画像（以下、「基準画像」という）としては、予め登録されている画像を使用することもできるが、新規に作成することもできる。基準画像を新規作成する場合、本印刷の印刷ジョブと同じ画像が印刷され、印刷物の読み取り画像が基準画像として画像形成システムに保存される。
【０００５】
ところが、自動検品のための基準画像の作成において、自動検品の対象外の用紙設定（例えば、エンボス紙、インデックス紙、ＰＩ（Ｐｏｓｔ  Ｉｎｓｅｒｔｅｒ）用紙、パンチ穴あり紙、未印字挿入紙）がなされた用紙で基準画像を作成し、後工程で検査を実施すると、ヤレと判断される可能性がある。例えば、エンボス紙の場合、凹凸の形状が紙毎に異なるため、ヤレと判断される可能性がある。
【０００６】
これに関連して、下記特許文献１には、検査しないページを予めユーザーが選別し、読み取り対象としないという方法が開示されている。
【先行技術文献】
【特許文献】
【０００７】
【特許文献１】特開２００７−８９０９５号公報
【発明の概要】
【発明が解決しようとする課題】
【０００８】
しかし、検査しないページを予めユーザーが選別することは手間である。そして、この選別は、基準画像作成時だけではなく、検査の際も同様に実施する必要があるという問題がある。
【０００９】
本発明は、上記事情に鑑みてなされたものであり、検査しないページを予めユーザーが選別する手間を省くことができる基準画像生成装置、画像形成システム、基準画像生成方法、および基準画像生成プログラムを提供することを目的とする。
【課題を解決するための手段】
【００１０】
本発明の上記目的は、下記の手段によって達成される。
【００１１】
（１）画像形成装置から搬送された印刷物を読み取る読取部と、前記印刷物が読み取られて生成された読み取り画像に基づいて、前記印刷物を自動検品するための基準画像を生成する基準画像生成部と、制御部と、を備え、前記制御部は、前記読取部に搬送される前記印刷物の各用紙について、自動検品の対象か否かに関する情報を前記画像形成装置から取得し、前記用紙が自動検品の対象である場合、前記基準画像が自動検品の検査において有効である旨を保存する一方で、前記用紙が自動検品の対象外である場合、前記基準画像が自動検品の検査において無効である旨を保存し、前記基準画像が自動検品の検査において有効である場合、前記基準画像を保存する一方で、前記基準画像が自動検品の検査において無効である場合、前記基準画像を保存しない、基準画像生成装置。
【００１２】
（２）画像形成装置から搬送された印刷物の画像を読み取る読取部と、前記読取部によって前記画像が読み取られて生成された読み取り画像に基づいて、前記印刷物を自動検品するための基準画像を生成する基準画像生成部と、制御部と、を備え、前記制御部は、前記読取部に搬送される前記印刷物の各用紙について、自動検品の対象か否かに関する情報を前記画像形成装置から取得し、前記用紙が自動検品の対象である場合、前記基準画像が自動検品の検査において有効である旨を保存する一方で、前記用紙が自動検品の対象外である場合、前記基準画像が自動検品の検査において無効である旨を保存し、前記基準画像が自動検品の検査において有効か無効かにかかわらず、前記基準画像を保存する、基準画像生成装置。
【００１３】
（３）画像形成装置から搬送された印刷物の画像を読み取る読取部と、前記読取部によって前記画像が読み取られて生成された読み取り画像に基づいて、前記印刷物を自動検品するための基準画像を生成する基準画像生成部と、制御部と、を備え、前記読取部は、前記読取部に搬送される前記印刷物の各用紙について、自動検品の対象か否かに関する情報を前記画像形成装置から取得し、前記用紙が自動検品の対象である場合、前記用紙の画像を読み取る一方で、前記用紙が自動検品の対象外である場合、前記用紙の画像を読み取らず、前記制御部は、生成された前記基準画像を保存する、基準画像生成装置。
【００１４】
（４）前記制御部は、生成された前記基準画像の保存順にページ番号を割り振り、前記基準画像を保存する、上記（１）〜（３）のいずれか１つに記載の基準画像生成装置。
【００１５】
（５）前記制御部は、前記基準画像を、前記基準画像が自動検品の検査において有効、あるいは無効である旨と関連付けて保存するための管理用ジョブを生成する、上記（１）〜（４）のいずれか１つに記載の基準画像生成装置。
【００１６】
（６）前記制御部は、前記印刷物の全用紙が自動検品の対象外である場合、前記管理用ジョブを削除する、上記（５）に記載の基準画像生成装置。
【００１７】
（７）印刷ジョブに基づいて、用紙に画像を形成し、当該画像が形成された印刷物を出力する画像形成装置と、上記（１）〜（６）のいずれか１つに記載の基準画像生成装置と、前記画像形成装置から前記基準画像生成装置へ前記印刷物を搬送する用紙搬送装置と、前記印刷物の全用紙が自動検品の対象外である場合、ユーザーに前記印刷物の全用紙が基準画像を作成できない用紙である旨を通知するとともに、基準画像を作成する処理の中止をユーザーに確認するポップアップ画面を表示する通知部と、を有する画像形成システム。
【００１８】
（８）画像形成装置で印刷された印刷物の各用紙について、自動検品の対象か否かに関する情報を前記画像形成装置から取得するステップ（ａ）と、前記画像形成装置から搬送された印刷物を読取部で読み取るステップ（ｂ）と、前記ステップ（ｂ）において前記印刷物が読み取られて生成された読み取り画像に基づいて、前記印刷物を自動検品するための基準画像を生成するステップ（ｃ）と、前記ステップ（ｃ）において生成された前記基準画像の保存を制御するステップ（ｄ）と、を含み、前記ステップ（ｄ）では、前記用紙が自動検品の対象である場合、前記基準画像が自動検品の検査において有効である旨を保存する一方で、前記用紙が自動検品の対象外である場合、前記基準画像が自動検品の検査において無効である旨を保存し、前記基準画像が自動検品の検査において有効である場合、前記基準画像を保存する一方で、前記基準画像が自動検品の検査において無効である場合、前記基準画像を保存しない、基準画像生成方法。
【００１９】
（９）画像形成装置で印刷された印刷物の各用紙について、自動検品の対象か否かに関する情報を前記画像形成装置から取得するステップ（ａ）と、前記画像形成装置から搬送された印刷物を読取部で読み取るステップ（ｂ）と、前記ステップ（ｂ）において前記印刷物が読み取られて生成された読み取り画像に基づいて、前記印刷物を自動検品するための基準画像を生成するステップ（ｃ）と、前記ステップ（ｃ）において生成された前記基準画像の保存するステップ（ｄ）と、を含み、前記ステップ（ｄ）では、前記用紙が自動検品の対象である場合、前記基準画像が自動検品の検査において有効である旨を保存する一方で、前記用紙が自動検品の対象外である場合、前記基準画像が自動検品の検査において無効である旨を保存し、前記基準画像が自動検品の検査において有効か無効かにかかわらず、前記基準画像を保存する、基準画像生成方法。
【００２０】
（１０）画像形成装置で印刷された印刷物の各用紙について、自動検品の対象か否かに関する情報を前記画像形成装置から取得するステップ（ａ）と、前記画像形成装置から搬送された印刷物を読取部で読み取るステップ（ｂ）と、前記印刷物が読み取られて生成された読み取り画像に基づいて、前記印刷物を自動検品するための基準画像を生成するステップ（ｃ）と、生成された前記基準画像を保存するステップ（ｄ）と、を含み、前記ステップ（ｂ）では、前記用紙が自動検品の対象である場合、前記用紙の画像を読み取る一方で、前記用紙が自動検品の対象外である場合、前記用紙の画像を読み取らない、基準画像生成方法。
【００２１】
（１１）前記ステップ（ｄ）では、生成された前記基準画像の保存順にページ番号を割り振り、前記基準画像を保存する、上記（８）〜（１０）のいずれか１つに記載の基準画像生成方法。
【００２２】
（１２）前記ステップ（ｄ）では、前記基準画像を、前記基準画像が検査において有効か、あるいは無効かを示す情報と関連付けて保存するための管理用ジョブを生成する、上記（８）〜（１１）のいずれか１つに記載の基準画像生成方法。
【００２３】
（１３）前記ステップ（ｄ）では、前記印刷物の全用紙が自動検品の対象外である場合、前記管理用ジョブを削除する、上記（１２）に記載の基準画像生成方法。
【００２４】
（１４）前記印刷物の全用紙が自動検品の対象外である場合、ユーザーに前記印刷物の全用紙が基準画像を作成できない用紙である旨を通知するとともに、基準画像を作成する処理の中止をユーザーに確認するポップアップ画面を表示するステップ（ｅ）をさらに含む、上記（８）〜（１３）のいずれか１つに記載の基準画像生成方法。
【００２５】
（１５）上記（８）〜（１４）のいずれか１つに記載の基準画像生成方法をコンピューターに実行させるための基準画像生成プログラム。
【発明の効果】
【００２６】
本発明によれば、自動検品の対象外の用紙設定がなされた用紙に対して、基準画像が保存されない、または保存された基準画像に関連付けて検査における基準画像の有効／無効の情報が保存される。したがって、検査しないページを予めユーザーが選別する手間を省くことができる。また、後工程の検査において誤検知が発生することを防止または抑制できる。
【図面の簡単な説明】
【００２７】
【図１】第１の実施形態の画像形成システムの構成を例示する概略断面図である。
【図２】図１に示す画像形成システムの概略ブロック図である。
【図３】図２に示す画像形成装置の制御部の構成を例示する概略ブロック図である。
【図４】図２に示す第１の後処理装置の制御部の構成を例示する概略ブロック図である。
【図５】「ジョブチケット編集」画面で自動検品設定を行う場合について例示する模式図である。
【図６】第１の実施形態において、基準画像を生成する場合の画像形成システムの制御方法の概略的な処理手順を例示するフローチャートである。
【図７】第１の実施形態において、基準画像を生成する場合の画像形成装置および基準画像生成装置の主要な機能構成を例示する機能ブロック図である。
【図８】図７の機能構成にしたがって基準画像を生成する処理手順を例示するフローチャートである。
【図９】第１の実施形態において、正解ジョブによる基準画像の管理について例示する模式図である。
【図１０】第２の実施形態において、基準画像を生成する処理手順を例示するフローチャートである。
【図１１】第２の実施形態において、正解ジョブによる基準画像の管理について例示する模式図である。
【図１２】第３の実施形態において、基準画像を生成する場合の画像形成装置および基準画像生成装置の主要な機能構成を例示する機能ブロック図である。
【図１３】図１２の機能構成にしたがって基準画像を生成する処理手順を例示するフローチャートである。
【図１４】第４の実施形態において、基準画像を生成する処理手順を例示するフローチャートである。
【図１５】第４の実施形態において、正解ジョブによる基準画像の管理について例示する模式図である。
【図１６】第５の実施形態において、基準画像を生成する処理手順を例示するフローチャートである。
【図１７】基準画像を作成する処理の中止を確認するポップアップ画面を例示する模式図である。
【発明を実施するための形態】
【００２８】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２９】
（第１の実施形態）
＜画像形成システム１００＞
図１は第１の実施形態の画像形成システムの構成を例示する概略断面図であり、図２は図１に示す画像形成システム１００の概略ブロック図である。また、図３は図２に示す画像形成装置３００の制御部３９０の構成を例示する概略ブロック図であり、図４は図２に示す第１の後処理装置４００の制御部４４０の構成を例示する概略ブロック図である。
【００３０】
図１に示すように、本実施形態の画像形成システム１００は、Ｘ方向（用紙搬送方向）に沿って直列に接続された給紙装置２００、画像形成装置３００、第１の後処理装置４００、および第２の後処理装置５００を有する。なお、図１に示す画像形成システム１００の構成は一例であり、画像形成システム１００に含まれる装置の種類および台数は図１に示す例に限定されない。
【００３１】
＜給紙装置２００＞
給紙装置２００は、画像形成装置３００の指示に応じて、画像形成装置３００に用紙を供給する。図１、図２に示すように、給紙装置２００は、給紙部２１０、用紙搬送部２２０、通信部２３０、および制御部２４０を有する。給紙部２１０、用紙搬送部２２０、通信部２３０、および制御部２４０は、内部バス２０１により相互に通信可能に接続されている。
【００３２】
給紙部２１０は、少なくとも１つの給紙トレイを備え、印刷に使用される記録材としての用紙を収容する。給紙トレイに収容されている用紙は、用紙搬送部２２０の搬送路に沿って複数の搬送ローラー対により画像形成装置３００に１枚ずつ供給される。給紙トレイが複数備えられている場合は、各々の給紙トレイに用紙設定の異なった用紙（例えば、エンボス紙、インデックス紙など）が収容されうる。
【００３３】
通信部２３０は、画像形成装置３００との間で制御信号やデータのやり取りを行う。制御部２４０は、給紙部２１０、用紙搬送部２２０、および通信部２３０を制御する。
【００３４】
＜画像形成装置３００＞
画像形成装置３００は、予め保存されているＰＤＬ（Ｐａｇｅ  Ｄｅｓｃｒｉｐｔｉｏｎ  Ｌａｎｇｕａｇｅ）形式の印刷データおよび印刷設定データを含む印刷ジョブに基づいて用紙に画像を形成（印刷）する。後述するように、本実施形態では、印刷ジョブには、本印刷において検査対象となる画像を用紙上に形成するための検査ジョブと、本印刷前に基準画像を生成するための正解作成ジョブとが含まれる。
【００３５】
また、画像形成装置３００は、ネットワークを通じて外部のクライアント端末から印刷ジョブを受信し、これに基づいて用紙に画像を印刷する。クライアント端末は、例えばパーソナルコンピューター、タブレット端末、スマートフォンなどでありうる。
【００３６】
画像形成装置３００は、画像生成部３１０、画像処理部３２０、画像形成部３３０、給紙部３４０、用紙搬送部３５０、定着部３６０、通信部３７０、操作表示部３８０、および制御部３９０を有する。これらの構成要素は、内部バス３０１により相互に通信可能に接続されている。
【００３７】
画像生成部３１０は、ミラー、レンズなどから構成される光学系と読取センサーとを備える。画像生成部３１０は、読取面に載置された原稿またはＡＤＦ（Ａｕｔｏ  Ｄｏｃｕｍｅｎｔ  Ｆｅｅｄｅｒ）によって搬送された原稿を読み取って画像信号を出力する。
【００３８】
画像処理部３２０は、画像生成部３１０から受信した画像信号に対して各種の画像処理を実施し、印刷画像データを生成する。また、画像処理部３２０は、通信部３７０により受信された印刷ジョブに含まれる印刷設定データおよび印刷データに基づいて、印刷画像データを生成する。生成された印刷画像データは、画像形成部３３０に送信される。
【００３９】
画像形成部３３０は、帯電、露光、現像、および転写の各工程を含む電子写真方式などの周知の作像プロセスを用いて、印刷画像データに基づいて画像を用紙上に印刷する。画像形成部３３０は、像担持体としての感光体ドラムおよびその周囲に配置された帯電部、光書込部、現像装置、および転写部を有して構成される。
【００４０】
給紙部３４０は、用紙を画像形成部３３０に供給する。給紙部３４０は、複数の給紙トレイを有し、各々の給紙トレイには、例えばＡ４サイズやＡ３サイズなどのサイズの異なる用紙が収納されうる。
【００４１】
用紙搬送部３５０は、搬送路および複数の搬送ローラー対を有し、画像形成装置３００内において用紙を搬送する。また、用紙搬送部３５０は、用紙反転部および循環搬送部を備えており、定着がなされた用紙の表裏を反転して排出したり、あるいは用紙の両面に画像を形成したりすることができる。
【００４２】
定着部３６０は、用紙に形成されたトナー画像を定着する。定着部３６０は、内部にヒーターが配置された中空の加熱ローラーと、加熱ローラーに対向する加圧ローラーとを備える。加熱ローラーおよび加圧ローラーは、ヒーターにより所定温度（例えば１００℃以上）に制御され、用紙に加熱・加圧処理を施し、トナー画像を定着する。
【００４３】
画像が定着された用紙は、排紙部（不図示）を通じて第１の後処理装置４００に供給される。
【００４４】
通信部３７０は、ネットワークを経由して、例えばパーソナルコンピューターなどのクライアント端末に接続し、印刷ジョブなどのデータを送受信する。
【００４５】
操作表示部３８０は、入力部および出力部を有する。入力部は、例えば、キーボード、ボタン、およびタッチパネルを備え、キーボードによる文字入力、各種設定、印刷開始ボタンによる印刷開始の指示などの各種指示（入力）をユーザーが行うために利用される。また、出力部は、ディスプレイを備え、後述するジョブチケット編集画面等の各種設定画面、印刷ジョブの実施状況などを、ユーザーに提示するために使用される。操作表示部３８０は、通知部として機能する。
【００４６】
制御部３９０は、画像生成部３１０、画像処理部３２０、画像形成部３３０、給紙部３４０、用紙搬送部３５０、定着部３６０、通信部３７０、および操作表示部３８０を制御する。図３に示すように、制御部３９０は、ＣＰＵ３９１、補助記憶装置３９２、ＲＡＭ３９３、およびＲＯＭ３９４を有する。
【００４７】
ＣＰＵ３９１は、画像形成装置用の制御プログラムを実行し、様々な機能を実現する。上記制御プログラムは、補助記憶装置３９２に保存されており、ＣＰＵ３９１によって実行される際に、ＲＡＭ３９３にロードされる。補助記憶装置３９２は、例えば、ハードディスクドライブ、フラッシュメモリーなどの大容量の記憶装置を備え、上記制御プログラムや印刷ジョブを保存する。ＲＡＭ３９３には、ＣＰＵ３９１の実行に伴う演算結果、用紙設定情報、給紙トレイ情報などが保存される。ＲＯＭ３９４には、各種のパラメーター、各種プログラムなどが保存されている。
【００４８】
＜第１の後処理装置４００＞
第１の後処理装置４００は、用紙搬送部４１０、画像読取部４２０、通信部４３０、および制御部４４０を有する。これらの構成要素は、内部バス４０１により相互に通信可能に接続されている。
【００４９】
用紙搬送部４１０は、搬送路および複数の搬送ローラー対を備え、画像形成装置３００から供給された用紙を搬送路に沿って第２の後処理装置５００へ向けて搬送する。用紙搬送部４１０は、画像形成装置３００から画像読取部４２０へ用紙を搬送する用紙搬送装置として機能する。
【００５０】
画像読取部４２０は、用紙搬送部４１０の搬送路に設置されたインラインセンサー（スキャナー）であり、搬送路を搬送される用紙上の画像を読み取る。通信部４３０は、画像形成装置３００との間で制御信号やデータのやり取りを行う。
【００５１】
制御部４４０は、用紙搬送部４１０、画像読取部４２０、および通信部４３０を制御する。図４に示すように、制御部４４０は、ＣＰＵ４４１、補助記憶装置４４２、ＲＡＭ４４３、およびＲＯＭ４４４を有する。
【００５２】
ＣＰＵ４４１は、第１の後処理装置用の制御プログラムを実行し、様々な機能を実現する。上記制御プログラムは、補助記憶装置４４２に保存されており、ＣＰＵ４４１によって実行される際に、ＲＡＭ４４３にロードされる。補助記憶装置４４２は、例えば、ハードディスクドライブ、フラッシュメモリーなどの大容量の記憶装置を備える。ＲＡＭ４４３には、ＣＰＵ４４１の実行に伴う演算結果などが格納される。
【００５３】
また、本実施形態では、補助記憶装置４４２またはＲＡＭ４４３には、後述する基準画像と、検査における基準画像の有効／無効に関する情報とを保存する記憶部として機能する。ＲＯＭ４４４には、各種のパラメーター、各種プログラムなどが保存されている。
【００５４】
本実施形態では、制御部４４０のＣＰＵ４４１が、上記制御プログラム（基準画像生成プログラムとして機能）を実行することにより、画像読取部４２０とともに基準画像生成装置４５０として機能する。基準画像生成装置４５０は、画像形成装置３００から出力された印刷物の画像読取部４２０により読み取り、読み取り画像に基づいて基準画像を生成し、基準画像の保存を制御する。基準画像の保存の制御に関する具体的な処理手順については後述する。
【００５５】
本実施形態では、基準画像は、印刷ジョブを実行して得られた印刷物を画像読取部４２０により読み取った画像であって、ユーザーによって品質が確認されたものである。基準画像は、自動検品において、検査ジョブを実行して用紙に印刷された画像が正常か否かを判定するための基準となる。
【００５６】
また、制御部４４０および画像読取部４２０は、検査ジョブの実行時において、画像検査部として機能しうる。画像検査部は、検査ジョブを実行して得られた読み取り画像と、基準画像とに基づき、検査ジョブの読み取り画像が正常か否かを判定する。
【００５７】
＜第２の後処理装置５００＞
第２の後処理装置５００は、画像形成装置３００の指示にしたがって、第１の後処理装置４００から供給された用紙を搬送または後処理し、画像形成システム１００の外部に排出する。第２の後処理装置５００は、用紙搬送部５１０、後処理部５２０、排紙部５３０、通信部５４０、および制御部５５０を有する。これらの構成要素は、内部バス５０１により相互に通信可能に接続されている。
【００５８】
用紙搬送部５１０は、搬送路および複数の搬送ローラー対を備え、第１の後処理装置４００から供給された用紙を搬送路に沿って搬送し、後処理部５２０または排紙部５３０に供給する。
【００５９】
後処理部５２０は、搬送された用紙に後処理を実施する。後処理としては、例えば、パンチ処理、ステイプル処理、平綴じ処理等が挙げられる。
【００６０】
排紙部５３０は、排紙トレイおよび排紙ローラー対を備え、第１の後処理装置４００から供給され、搬送路を搬送された用紙または後処理された用紙を排紙トレイに排紙する。
【００６１】
通信部５４０は、画像形成装置３００との間で制御信号やデータのやり取りを行う。制御部５５０は、用紙搬送部５１０、後処理部５２０、排紙部５３０、および通信部５４０を制御する。
【００６２】
＜画像形成システム１００の制御方法＞
図５、図６を参照して、本実施形態の画像形成システム１００の制御方法について説明する。図５は「ジョブチケット編集」画面で自動検品設定を行う場合について例示する模式図であり、図６は第１の実施形態において、基準画像を生成する場合の画像形成システム１００の制御方法の概略的な処理手順を例示するフローチャートである。図６に示す処理は、制御部３９０および制御部４４０が協働することにより実現される。制御部３９０は、図６の処理において、印刷物の出力制御、全体的な制御等の主導的な役割を担い、制御部４４０は後述する正解ジョブの生成、基準画像の生成、保存の制御等の役割を担う。
【００６３】
以下、図５を参照して、ユーザーが「ジョブチケット編集」画面を操作し、基準画像を生成するための設定を行う場合を想定して説明する。
【００６４】
本実施形態の画像形成システム１００は、印刷ジョブの出力における一機能として自動検品機能を備え、本印刷に対して基準画像を用いて自動的に検品を行うことができる。また、自動検品に関する設定（以下、「自動検品設定」という）は、「ジョブチケット編集」画面６００において行うことができる。
【００６５】
より具体的には、「ジョブチケット編集」画面６００では、「出力設定」６０１の項目内の「自動検品」６０２を選択することにより、「自動検品設定」画面６０３が立ち上がり、「自動検品設定」画面６０３から自動検品に関する各種の設定を行える。なお、「出力設定」６０１の項目内の「自動検品」６０２以外の項目については、従来の自動検品機能を備えた画像形成システムと同様であるので詳細な説明を省略する。
【００６６】
「自動検品設定」画面６０３は、自動検品機能のＯＮ（オン）／ＯＦＦ（オフ）を設定する「検品設定」６０４と、基準画像を新規作成するか、または登録画像から選択するかを選択する「基準画像設定」６０５とを有する。検品設定６０４がオンである場合、ユーザーは、基準画像を新規に作成して取得するか、あるいは既存の登録画像から取得できる。取得された基準画像は、例えば制御部４４０の補助記憶装置４４２またはＲＡＭ４４３に保存される。
【００６７】
図５に示す例では、「検品設定」６０４はオンに設定され、「基準画像設定」６０５は「新規作成」に設定されている。「基準画像設定」６０５において「新規作成」６０６が選択されている状態で「ＯＫ」ボタン６０７が選択された場合、制御部３９０は、基準画像の新規作成を開始する。基準画像を新規作成するための概略的な処理手順は、以下のとおりである。図６において、ステップＳ１０１，Ｓ１０３〜Ｓ１０６は、基準画像生成装置４５０側における処理に関し、ステップＳ１０２は画像形成装置３００側の処理に関する。
【００６８】
図６に示すように、制御部４４０は、正解ジョブを生成する（ステップＳ１０１）。正解ジョブは、基準画像生成装置４５０において、印刷物の読み取り画像に基づいて生成された基準画像を、当該基準画像が検査において有効か、あるいは無効かを示す情報と関連付けて保存するための管理用ジョブである。制御部４４０は、画像形成装置３００で生成される正解作成ジョブ（基準画像を生成するための印刷ジョブ）に基づいて正解ジョブを生成する。これにより、制御部４４０は、正解作成ジョブと対応したジョブ形式で、基準画像を管理する。
【００６９】
次に、印刷物を出力する（ステップＳ１０２）。制御部３９０は、正解作成ジョブを実行する。正解生成ジョブは、検査ジョブの印刷部数を複数部から例えば１部に変更することで生成した印刷ジョブでありうる。検査ジョブは、補助記憶装置３９２またはＲＡＭ３９３に予め保存されている。正解作成ジョブ、正解ジョブ、および検査ジョブの間には、つねに対応関係が維持され、正解ジョブの各々のページの基準画像は、検査ジョブの対応するページに紐付けられる（図９を参照）。
【００７０】
画像形成部３３０は、制御部３９０の指示にしたがい、正解作成ジョブの印刷設定で設定された用紙枚数に達するまで、印刷データに基づいて画像を用紙に印刷する。
【００７１】
次に、自動検品の対象か否かに関する情報（以下、「検品対象ページ情報」という）を取得する（ステップＳ１０３）。制御部３９０は、用紙設定情報や給紙トレイ情報に基づいて、印刷物の各用紙について検品対象ページ情報を生成し、制御部４４０に送信する。制御部４４０は、検品対象ページ情報を受信する。
【００７２】
用紙設定情報や給紙トレイ情報は、正解作成ジョブの印刷設定データに含まれている。図５では示されていないが、ユーザーは、ジョブチケット編集画面等を通じて、それらの設定状況を確認できる。用紙設定情報には、例えば、用紙サイズ、用紙種類、坪量、色紙、エンボス紙、インデックス紙、ＰＩ用紙、パンチ穴の有無、未印字挿入紙等が含まれうる。
【００７３】
制御部３９０は、印刷データの各ページに対応する印刷物の各用紙について、例えば、用紙種類が普通紙または上質紙である場合や、色紙である場合は自動検品の対象とする。一方、制御部３９０は、例えば、用紙がエンボス紙、インデックス紙、ＰＩ用紙、パンチ穴有り、未印字挿入紙である場合は、自動検品の対象外とする。
【００７４】
次に、印刷物を読み取る（ステップＳ１０４）。画像読取部４２０は、画像形成装置３００から搬送された印刷物を読み取り、読み取り画像を制御部４４０に送信する。
【００７５】
次に、基準画像を生成する（ステップＳ１０５）。制御部４４０は、画像読取部４２０によって印刷物が読み取られて生成された読み取り画像に基づいて、印刷物を自動検品するための基準画像を生成する。ここで、生成された読み取り画像は、ユーザーによって品質が確認され、基準画像として使用することが承認されうる。
【００７６】
次に、基準画像の保存を制御する（ステップＳ１０６）。制御部４４０は、印刷物の用紙が自動検品の対象である場合、生成された基準画像が自動検品の検査において有効である旨を保存する。一方、制御部４４０は、印刷物の用紙が自動検品の対象外である場合、生成された基準画像が自動検品の検査において無効である旨を保存する。
【００７７】
より具体的には、制御部４４０は、自動検品の対象の用紙を読み取って生成された基準画像については、検査有効ページとして、正解ジョブのページ情報を保存する。一方、自動検品の対象外の用紙を読み取って生成された基準画像については、検査無効ページとして、正解ジョブのページ情報を保存する。
【００７８】
そして、制御部４４０は、生成された基準画像が自動検品の検査ページとして有効である場合、この基準画像を保存すべきと判断し、この基準画像を保存する。一方、制御部４４０は、生成された基準画像が自動検品の検査ページとして無効である場合、この基準画像を保存すべきではないと判断し、この基準画像を保存しない。
【００７９】
なお、生成された基準画像を保存しない場合、この基準画像を保存しないことをユーザーに確認するように構成してもよい。
【００８０】
このように、図６のフローチャートに示す処理では、基準画像生成装置４５０は、画像形成装置３００から搬送された印刷物を読み取り、読み取り画像に基づいて、印刷物を自動検品するための基準画像を生成する。また、基準画像生成装置４５０は、印刷物の各用紙について、検品対象ページ情報を画像形成装置３００から取得し、検品対象ページ情報に基づいて、生成された基準画像の保存の制御を行う。
【００８１】
以下、図７および図８を参照して、基準画像を生成する手順について詳細に説明する。図７は、第１の実施形態において、基準画像を生成する場合の画像形成装置３００および基準画像生成装置４５０の主要な機能構成を例示する機能ブロック図である。また、図８は、図７の機能構成にしたがって基準画像を生成する処理手順を例示するフローチャートである。図８のフローチャートの処理は、制御部３９０および制御部４４０が協働することにより実現される。
【００８２】
図７に示すように、画像形成装置３００は、正解作成ジョブ生成部６１０および正解作成ジョブ制御部６２０を有し、これらは、制御部３９０のＣＰＵ３９１が画像形成装置用の制御プログラムを実行することにより実現される。
【００８３】
また、基準画像生成装置４５０は、読取部６３０、基準画像生成部６４０、正解ジョブ生成部６５０、正解ジョブ制御部６６０、および記憶部６７０を有する。読取部６３０は、画像読取部４２０によって実現され、基準画像生成部６４０、正解ジョブ生成部６５０、および正解ジョブ制御部６６０は、制御部４４０のＣＰＵ４４１が第１の後処理装置用の制御プログラムを実行することにより実現される。また、記憶部６７０は、制御部４４０の補助記憶装置４４２またはＲＡＭ４４３によって実現される。このような構成により基準画像を生成するための処理手順は、例えば、以下のとおりである。
【００８４】
図８に示すように、まず、画像形成装置３００側で正解作成ジョブを生成する（ステップＳ２０１）。正解作成ジョブ生成部６１０は、正解作成ジョブを生成する。また、正解作成ジョブ生成部６１０は、正解ジョブ生成部６５０に対して、（１）ジョブ生成指示を出力する。なお、図７において、制御信号「ジョブ生成指示」の先頭に付されている「（１）」は、この制御信号が第１番目に出力されることを意味している。「（２）」以降も同様である。
【００８５】
次に、画像形成装置３００から基準画像生成装置４５０へ正解作成ジョブ生成を通知する（ステップＳ２０２）。正解ジョブ生成部６５０は、正解ジョブ制御部６６０に対して、画像形成装置３００側の準備が整ったことを知らせるため、「（２）正解作成ジョブ開始通知」を出力する。
【００８６】
次に、基準画像生成装置４５０側で正解ジョブを生成する（ステップＳ２０３）。正解ジョブ生成部６５０は、正解ジョブを生成する。
【００８７】
次に、基準画像生成装置４５０側の正解ジョブを開始する（ステップＳ２０４）。正解ジョブ生成部６５０は、正解ジョブを開始する。
【００８８】
次に、基準画像生成装置４５０から画像形成装置３００へ正解ジョブ生成完了を通知する（ステップＳ２０５）。正解ジョブ生成部６５０は、正解作成ジョブ生成部６１０に対して、「（３）ジョブ生成完了通知」を出力する。
【００８９】
次に、画像形成装置３００側の正解作成ジョブを開始する（ステップＳ２０６）。正解作成ジョブ生成部６１０は、正解作成ジョブ制御部６２０に対して、「（４）ジョブ実行指示」を出力する。
【００９０】
次に、画像形成装置３００から基準画像生成装置４５０へ検品対象ページ情報を送信する（ステップＳ２０７）。正解作成ジョブ制御部６２０は、正解ジョブ制御部６６０の基準画像制御部６６１に対して、「（５）検品対象ページ情報」を通知する。
【００９１】
次に、検査有効／無効ページ情報を正解ジョブのページ情報に保存する（ステップＳ２０８）。基準画像制御部６６１は、印刷物の用紙が自動検品の対象／対象外であるかに応じて、基準画像の自動検品の検査における有効／無効を判断し、検査有効／無効ページ情報を正解ジョブのページ情報に保存する。
【００９２】
次に、画像形成装置３００から基準画像生成装置４５０の読取部６３０へ読み取り指示を通知する（ステップＳ２０９）。正解作成ジョブ制御部６２０は、読取部６３０の読取制御部６３１に対して、「（６）読み取り指示」を通知する。
【００９３】
次に、読み取り画像に基づいて基準画像を生成する（ステップＳ２１０）。読取部６３０は、画像形成装置３００から搬送された印刷物を読み取り、「（７）読み取り画像送信」を行う。基準画像生成部６４０は、読取部６３０で生成された読み取り画像に基づいて基準画像を生成し、基準画像制御部６６１に対して、「（８）基準画像保存要求」を出力する。
【００９４】
次に、基準画像が検査において有効であるか否かを判断する（ステップＳ２１１）。基準画像制御部６６１は、検品対象ページ情報に基づいて、基準画像生成部６４０によって生成された基準画像が検査において有効であるか否かを判断する。
【００９５】
基準画像が検査において有効である場合（ステップＳ２１１：ＹＥＳ）、基準画像を基準画像生成装置４５０側の正解ジョブのページ情報に関連付けて記憶部６７０に保存（「（９）基準画像保存」）（ステップＳ２１２）し、処理を終了する（エンド）。一方、基準画像が検査において有効ではない、すなわち無効である場合（ステップＳ２１１：ＮＯ）、基準画像を保存せずに処理を終了する（エンド）。
【００９６】
このように、本実施形態では、正解作成ジョブの出力ページ毎に画像形成装置３００から基準画像生成装置４５０へ検品対象ページ情報を送信し、基準画像制御部６６１にて、検査有効／無効ページ情報を正解ジョブのページ情報として保存する。検査有効ページ（すなわち、基準画像を生成すべき用紙）であれば、基準画像を保存し、検査無効ページ（すなわち、基準画像を生成すべきではない用紙）であれば、基準画像を保存しない。
【００９７】
＜実施例＞
図９は、第１の実施形態において、正解ジョブによる基準画像の管理について例示する模式図である。片面４ページの正解作成ジョブ出力で、２ページ目および４ページ目にエンボス紙が含まれている場合を想定している。正解作成ジョブとして全ページを出力するが、２ページ目と４ページ目については、正解ジョブの基準画像として保存しない。また、２ページ目および４ページ目は、検査無効ページであるため、自動検品において検査対象としない。したがって、基準画像制御部６６１は、１ページ目と３ページ目を基準画像とした正解ジョブを保存する。なお、図９では用紙設定がエンボス紙である場合について例に挙げたが、他の用紙設定、例えばインデックス紙、ＰＩ用紙、パンチ穴あり紙、未印字挿入紙の場合であっても同様である。
【００９８】
以上で説明した本実施形態の基準画像生成装置４５０および画像形成システム１００は、下記の効果を奏する。
【００９９】
自動検品の対象外の用紙設定がなされた用紙に対して、基準画像が保存されないので、検査しないページを予めユーザーが選別する手間を省くことができる。また、後工程の検査において誤検知が発生することを防止または抑制できる。
【０１００】
（第２の実施形態）
第１の実施形態では、検査における基準画像の有効／無効に応じて、基準画像を保存するか否かを制御する場合について説明した。第２の実施形態では、基準画像が自動検品の検査において有効か無効かにかかわらず、基準画像を保存する場合について説明する。なお、説明の重複を避けるため、第１の実施形態と同じ構成については説明を省略する。
【０１０１】
図１０は第２の実施形態において、基準画像を生成する処理手順を例示するフローチャートであり、図１１は第２の実施形態において、正解ジョブによる基準画像の管理について例示する模式図である。図１０のフローチャートの処理は、制御部３９０および制御部４４０が協働することにより実現される。
【０１０２】
本実施形態では、正解作成ジョブの出力ページ毎に画像形成装置３００から基準画像生成装置４５０へ検品対象ページ情報を送信し、基準画像制御部６６１にて、検査有効／無効ページ情報を正解ジョブのページ情報として保存し、各ページの基準画像も保存する。
【０１０３】
図１０に示すフローチャートにおいて、ステップＳ３０１〜Ｓ３１０は、第１の実施形態のフローチャート（図８）におけるステップＳ２０１〜Ｓ２１０と同じであるので、説明を省略する。本実施形態では、基準画像制御部６６１にて、検査有効／無効ページ情報を正解ジョブのページ情報として保存するが、基準画像が自動検品の検査において有効か無効かにかかわらず、基準画像を保存する。
【０１０４】
図１１に示すように、第１の実施形態（図９）と同様に、片面４ページの正解作成ジョブ出力で、２ページ目および４ページ目にエンボス紙が含まれている場合を想定している。正解作成ジョブとして全ページを出力し、全ページについて基準画像を保存する。また、２ページ目および４ページ目は、検査無効ページであるため、自動検品において検査対象としない。したがって、基準画像制御部６６１は、全ページを基準画像とした正解ジョブを保存する。
【０１０５】
これにより、ユーザーは、操作表示部３８０のディスプレイ等を通じて、検査有効／無効ページにかかわらず、正解ジョブの全ページの基準画像を参照することができる。したがって、例えばユーザーが正解ジョブを編集することにより、指定された領域（ページ範囲）を検査対象から除外する機能を使用する場合、検査有効／無効ページにかかわらず、基準画像を一覧表示することができるので、ユーザーによる基準画像の把握が容易となる。
【０１０６】
以上で説明した本実施形態の基準画像生成装置４５０および画像形成システム１００は、下記の効果を奏する。
【０１０７】
印刷物の各用紙に対して、検査有効／無効ページ情報が保存されるので、検査しないページを予めユーザーが選別する手間を省くことができる。また、後工程の検査において誤検知が発生することを防止または抑制できる。
【０１０８】
（第３の実施形態）
上述の第１の実施形態では、生成された基準画像の保存を制御する場合について説明したが、第３の実施形態では、自動検品の対象外の用紙設定がなされた用紙に対して、画像を読み取らないことにより、基準画像を保存しない場合について説明する。なお、説明の重複を避けるため、第１の実施形態と同じ構成については説明を省略する。
【０１０９】
図１２は、第３の実施形態において、基準画像を生成する場合の画像形成装置３００および基準画像生成装置４５０の主要な機能構成を例示する機能ブロック図である。また、図１３は、図１２の機能構成にしたがって基準画像を生成する処理手順を例示するフローチャートである。図１３のフローチャートの処理は、制御部３９０および制御部４４０が協働することにより実現される。
【０１１０】
図１３に示すフローチャートにおいて、ステップＳ４０１〜Ｓ４０６は、第１の実施形態のフローチャート（図８）におけるステップＳ２０１〜Ｓ２０６と同じであるので、説明を省略する。
【０１１１】
ステップＳ４０７において、画像形成装置３００から基準画像生成装置４５０へ検品対象ページ情報を送信する。正解作成ジョブ制御部６２０は、読取部６３０の読取制御部６３１に対して、検品対象ページ情報を出力する。
【０１１２】
次に、読取部６３０の読取制御部６３１は、読取部６３０に給紙された用紙が検査対象の用紙か否かを判断する（ステップＳ４０８）。読取部６３０に給紙された用紙が検査対象である場合（ステップＳ４０８：ＹＥＳ）、画像形成装置３００から基準画像生成装置４５０の読取部６３０へ読み取り指示を通知する（ステップＳ４０９）。そして、基準画像を基準画像生成装置４５０側の正解ジョブのページ情報に関連付けて保存（ステップＳ４１０）し、処理を終了する（エンド）。
【０１１３】
一方、読取部６３０に給紙された用紙が検査対象ではない場合（ステップＳ４０８：ＮＯ）、画像形成装置３００から基準画像生成装置４５０の読取部６３０へ読み取り指示を通知せずに処理を終了する（エンド）。
【０１１４】
このように、読取部６３０に給紙された用紙が検査対象の用紙である場合のみ、画像形成装置３００から基準画像生成装置４５０の読取部６３０へ読み取り指示を通知する。これにより、検査において有効な基準画像のみが基準画像生成装置４５０で生成され、保存される。
【０１１５】
以上で説明した本実施形態の基準画像生成装置４５０および画像形成システム１００は、下記の効果を奏する。
【０１１６】
自動検品の対象外の用紙設定がなされた用紙を読取部６３０が読み取られないので、自動検品の検査における無効な基準画像が保存されない。したがって、検査しないページを予めユーザーが選別する手間を省くことができる。また、後工程の検査において誤検知が発生することを防止または抑制できる。
【０１１７】
（第４の実施形態）
上述の第１の実施形態では、生成された基準画像を、正解作成ジョブおよび検査ジョブのページと対応する、正解ジョブのページとして保存する場合について説明した。第４の実施形態では、生成された基準画像に対して、保存する順番に正解ジョブのページ番号を割り振る場合について説明する。なお、説明の重複を避けるため、第１の実施形態と同じ構成については説明を省略する。
【０１１８】
図１４は、第４の実施形態において、基準画像を生成する処理手順を例示するフローチャートであり、図１５は第４の実施形態において、正解ジョブによる基準画像の管理について例示する模式図である。図１４のフローチャートの処理は、制御部３９０および制御部４４０が協働することにより実現される。
【０１１９】
図１４に示すフローチャートにおいて、ステップＳ５０１〜Ｓ５０９は、それぞれ第１の実施形態（図８）のフローチャートのステップＳ２０１〜Ｓ２０７，Ｓ２０９，Ｓ２１０に対応するので、説明を省略する。
【０１２０】
ステップＳ５１０において、基準画像制御部６６１は、生成された基準画像が検査において有効であるか否かを判断する。基準画像制御部６６１は、この基準画像が検査において有効である場合（ステップＳ５１０：ＹＥＳ）、この基準画像を保存順に基準画像生成装置４５０側の正解ジョブのページ情報に関連付けて保存する（ステップＳ５１１）。一方、この基準画像が検査において有効ではない、すなわち無効である場合（ステップＳ５１１：ＮＯ）、この基準画像を保存せずに処理を終了する（エンド）。
【０１２１】
図１５に示すように、第１の実施形態（図９）および第２の実施形態（図１１）と同様に、片面４ページの正解作成ジョブ出力で、２ページ目および４ページ目にエンボス紙が含まれている場合を想定している。正解作成ジョブとして全ページを出力するが、２ページ目および４ページ目については、検品対象外であるので、正解ジョブの基準画像として保存しない。また、２ページ目および４ページ目は、検査無効ページであるため、自動検品において検査対象としない。
【０１２２】
本実施形態では、基準画像制御部６６１は、正解作成ジョブの１ページ目に対して生成された基準画像は、正解ジョブの１ページ目として保存する。しかし、正解作成ジョブの３ページ目に対して生成された基準画像は、正解ジョブの３ページ目ではなく、２ページ目として保存する。
【０１２３】
このように、本実施形態では、基準画像制御部６１１にて、基準画像を保存する際、基準画像の保存順にページ番号を割り振る。また、自動検品における検査の際は、ページ番号順、すなわち基準画像の保存順に基準画像と、検査無効ページを除いた、検査対象の読み取り画像と比較して検査を行う。例えば、上述の例では、検査ジョブの３ページ目の上質紙は、正解ジョブの２ページ目の基準画像と比較される。
【０１２４】
以上で説明した本実施形態の基準画像生成装置４５０および画像形成システム１００は、第１の実施形態の効果に加えて下記の効果を奏する。
【０１２５】
基準画像を保存する際、基準画像の保存順にページ番号が割り振られるので、正解ジョブにおけるページ情報の管理が容易になる。
【０１２６】
（第５の実施形態）
第５の実施形態では、正解ジョブの全ページが検査無効ページである場合に、その旨をユーザーに通知するとともに、基準画像を作成する処理を中止する場合について説明する。なお、説明の重複を避けるため、第１の実施形態と同じ構成については説明を省略する。
【０１２７】
図１６は、第５の実施形態において、基準画像を生成する処理手順を例示するフローチャートである。図１６のフローチャートの処理は、制御部３９０および制御部４４０が協働することにより実現される。また、図１７は、基準画像を作成する処理の中止を確認するポップアップ画面を例示する模式図である。
【０１２８】
図１６に示すように、まず、検査における基準画像の有効／無効に応じて、基準画像を保存するか否かを制御する（ステップＳ６０１）。基準画像制御部６６１は、第１の実施形態のフローチャート（図８）におけるステップＳ２０１〜Ｓ２１２の処理を実行する。第１の実施形態と同じ処理であるため説明を省略する。
【０１２９】
次に、正解作成ジョブが全ページ出力完了するまで基準画像の保存を制御する（ステップＳ６０２）。基準画像制御部６６１は、第１の実施形態のフローチャート（図８）におけるステップＳ２０９〜Ｓ２１２の処理を、正解作成ジョブが全ページ出力完了するまで繰り返し、基準画像の保存を制御する。
【０１３０】
次に、正解ジョブの全ページが検査無効ページであるか否かを判断する（ステップＳ６０３）。正解ジョブの全ページが検査無効ページではない、すなわち有効ページが少なくとも１ページある場合（ステップＳ６０３：ＮＯ）、処理を終了する（エンド）。一方、正解ジョブの全ページが検査無効ページである場合（ステップＳ６０３：ＹＥＳ）、基準画像生成装置４５０から画像形成装置３００へ基準画像の未生成を通知する（ステップＳ６０４）。
【０１３１】
次に、印刷物の全用紙が基準画像を作成できない用紙である旨をユーザーに通知する（ステップＳ６０５）。図１７に示すように、画像形成装置３００は、ディスプレイの画面７００に、例えば「全ての用紙が基準画像を作成できない用紙でした。」のようなメッセージを出力することにより、ユーザーに印刷物の全用紙が基準画像を作成できない用紙である旨を通知する。
【０１３２】
次に、基準画像を作成する処理の中止を確認するポップアップ画面７０２を表示する（ステップＳ６０６）。画像形成装置３００は、ディスプレイの画面７００に、基準画像を作成する処理（ジョブ）の中止をユーザーに確認するポップアップ画面７０２を表示する。
【０１３３】
次に、ポップアップ画面７０２の「中止」ボタン７０３が押下されたか否かを判断する（ステップＳ６０７）。ユーザーは、ポップアップ画面７０２に表示されたメッセージ「このジョブを中止しますか？」を確認し、ポップアップ画面７０２の「中止」ボタン７０３（一択のボタン）を選択する。「中止」ボタン７０３が押下された場合（ステップＳ６０７：ＹＥＳ）、処理を終了する。これにより、基準画像を作成する処理が中止される。その結果、対象の正解ジョブは削除され、正解ジョブとして保存されない。
【０１３４】
このように、正解作成ジョブの全ページが、自動検品対象外の用紙設定であった場合、保存されるべき基準画像は１ページもないことになる。そこで、正解作成ジョブの全ページ出力完了後、画面７００を表示することにより、基準画像が１ページもない正解ジョブが生成および保存されることを防止することができる。また、画面７００を表示することにより、給紙トレイ設定やジョブ設定に誤りがある可能性をユーザーに報知することもできる。
【０１３５】
なお、全シート出力時に判断を実施する理由は、ページモード（リアル）出力の場合、印刷ジョブを受信開始時に全てのページ情報を受信できないためである。
【０１３６】
以上のように、実施形態において、画像形成システム１００および制御プログラムについて説明した。しかしながら、本発明は、その技術思想の範囲内において当業者が適宜に追加、変形、および省略することができることはいうまでもない。
【０１３７】
例えば、上述の実施形態では、基準画像生成装置４５０が、印刷物の用紙が自動検品の対象／対象外であるかに応じて、基準画像の自動検品の検査における有効／無効を判断する場合について説明した。しかしながら、本発明はこのような場合に限定されない。例えば、画像形成装置３００側において、印刷物の用紙が自動検品の対象／対象外であるかに応じて、基準画像の自動検品の検査における有効／無効を判断し、判断結果を基準画像生成装置４５０に送信するように構成してもよい。
【０１３８】
また、上述の実施形態では、第１の後処理装置４００の制御部４４０が基準画像生成装置４５０の制御部として機能する場合について説明した。しかしながら、本発明はこのような場合に限定されず、基準画像生成装置４５０は、制御部４４０とは独立の制御部を備えるように構成してもよい。
【０１３９】
また、画像形成システム１００の制御プログラムは、ＵＳＢメモリー、フレキシブルディスク、ＣＤ−ＲＯＭなどのコンピューター読み取り可能な記録媒体によって提供されてもよいし、インターネット等のネットワークを介してオンラインで提供されてもよい。この場合、コンピューター読み取り可能な記録媒体に記録されたプログラムは、通常、メモリーやストレージなどに転送され記憶される。また、この制御プログラムは、例えば、単独のアプリケーションソフトとして提供されてもよいし、画像形成システム１００の一機能としてその各装置のソフトウェアに組み込んでもよい。
【符号の説明】
【０１４０】
１００  画像形成システム、
２００  給紙装置、
３００  画像形成装置、
３１０  画像生成部、
３２０  画像処理部、
３３０  画像形成部、
３４０  給紙部、
３５０  用紙搬送部、
３６０  定着部、
３７０  通信部、
３８０  操作表示部、
３９０  制御部、
３９１  ＣＰＵ、
３９２  補助記憶装置、
３９３  ＲＡＭ、
３９４  ＲＯＭ、
４００  第１の後処理装置、
４１０  用紙搬送部、
４２０  画像読取部、
４３０  通信部、
４４０  制御部、
４４１  ＣＰＵ、
４４２  補助記憶装置、
４４３  ＲＡＭ、
４４４  ＲＯＭ、
５００  第２の後処理装置、
６１０  正解作成ジョブ生成部、
６２０  正解作成ジョブ制御部、
６３０  読取部、
６４０  基準画像生成部、
６５０  正解ジョブ生成部、
６６０  正解ジョブ制御部、
６７０  記憶部。
【図１】
2020116746.tif 000003
【図２】
2020116746.tif 000004
【図３】
2020116746.tif 000005
【図４】
2020116746.tif 000006
【図５】
2020116746.tif 000007
【図６】
2020116746.tif 000008
【図７】
2020116746.tif 000009
【図８】
2020116746.tif 000010
【図９】
2020116746.tif 000011
【図１０】
2020116746.tif 000012
【図１１】
2020116746.tif 000013
【図１２】
2020116746.tif 000014
【図１３】
2020116746.tif 000015
【図１４】
2020116746.tif 000016
【図１５】
2020116746.tif 000017
【図１６】
2020116746.tif 000018
【図１７】
2020116746.tif 000019